(57)【要約】【課題】プレビュー表示後の印刷出力、及び再印刷出力を高速に処理する画像処理装置及び印刷システムを提供する。【解決手段】画像処理装置は、情報処理装置が生成した印刷データを記憶する印刷データサーバから印刷データを受信し、印刷出力を行う。画像処理装置は、当該サーバに記憶されている印刷データをプレビュー表示させるためのプレビュー表示指示を入力すると、当該サーバへプレビュー用ジョブデータの送信要求を行う。画像処理装置は、プレビュー用ジョブデータの送信要求に応答して当該サーバが送信する印刷データを受信すると、受信した印刷データから中間データを生成し、生成された中間データから画面表示用のプレビュー用ジョブデータを生成し、表示し、また、生成された中間データから印刷出力用の画像データを生成し、印刷出力する。【選択図】図３
2010167596.tif 000002
【特許請求の範囲】
【請求項１】
情報処理装置が生成した印刷データを記憶する第１のサーバから当該印刷データを受信し、印刷出力を行う画像処理装置であって、
前記第１のサーバに記憶されている前記印刷データをプレビュー表示させるためのプレビュー表示指示を入力する手段と、
前記プレビュー表示指示の入力に応じて前記第１のサーバが送信する前記印刷データを受信する手段と、
前記受信した印刷データを保存する手段と、
前記受信した印刷データから中間データを生成する手段と、
前記生成された中間データから画面表示用のプレビュー用ジョブデータを生成し、表示する手段と、
前記生成された中間データから印刷出力用の画像データを生成し、印刷出力を行う手段と、
を備えることを特徴とする画像処理装置。
【請求項２】
前記生成された中間データを保存する手段を更に備え、
２回目以降に、前記印刷データを印刷出力する際に、前記印刷出力を行う手段は、前記印刷データの代わりに前記中間データを保存する手段に保存された中間データを使用して印刷出力を行うことを特徴とする請求項１記載の画像処理装置。
【請求項３】
前記印刷出力を行う手段における印刷出力に際し、ユーザに対して印刷出力確認を行う手段を更に備え、
前記印刷データを保存する手段は、前記印刷出力確認を行う手段が出力確認を行った印刷データのみを保存することを特徴とする請求項１記載の画像処理装置。
【請求項４】
前記中間データが、前記中間データを保存する手段に保存済であるか否かを判定する手段を更に備え、
前記判定する手段による判定を受け、前記プレビュー用ジョブデータの送信要求を行う手段は、前記中間データを保存する手段に前記中間データが保存されていない場合のみ、前記プレビュー用ジョブデータの送信要求を行うことを特徴とする請求項２又は３に記載の画像処理装置。
【請求項５】
前記第１のサーバに記憶されている前記印刷データの書誌情報を管理する第２のサーバに対して前記印刷データの書誌情報の更新要求を行う手段を更に備えることを特徴とする請求項１記載の画像処理装置。
【請求項６】
前記書誌情報に基づいて、前記プレビュー表示の指示がされた前記印刷データから、他の画像処理装置でも出力可能な汎用的な中間データを生成可能か判定する手段を更に備え、
前記中間データを保存する手段は、前記中間データを生成可能か判定する手段による判定を受け、他の画像処理装置でも出力可能な汎用的な中間データを生成可能な場合のみ、前記中間データの保存することを特徴とする請求項５記載の画像処理装置。
【請求項７】
前記第２のサーバへ、認証要求の送信処理を行う手段と、
前記第２のサーバで認証が行われると、当該第２のサーバから、書誌情報を受信する手段と、
前記書誌情報に基づいて、前記印刷データの受信を行う手段と、
を更に備え、
前記印刷データを受信する手段は、前記プレビュー表示指示の前に、書誌情報にリストされる全てまたは任意の数の前記印刷データを受信し、
前記中間データを生成する手段は、前記受信した印刷データから中間データを生成し、
前記中間データを保存する手段は、前記生成された中間データを保存することを特徴とする請求項５又は６に記載の画像処理装置。
【請求項８】
前記印刷出力を行う手段における印刷出力に際し、ユーザに対して印刷出力確認を行う手段を更に備え、
前記印刷出力確認の後に、前記書誌情報に基づいて、前記中間データを保存する手段に保存されている前記中間データを削除するかどうか判定する手段を更に備え、
前記中間データを保存する手段は、前記書誌情報で、前記印刷出力の後に前記印刷データを保存するように設定されている場合のみ、前記中間データを保存することを特徴とする請求項５乃至７のいずれか１項に記載の画像処理装置。
【請求項９】
情報処理装置から受信した印刷データを記憶し、当該印刷データを画像処理装置に送信するサーバであって、
前記画像処理装置におけるプレビュー表示のためのプレビュー用ジョブデータの送信要求を前記画像処理装置から受信する手段と、
前記プレビュー用ジョブデータの送信要求を受信すると、前記印刷データを前記画像処理装置へ送信する手段と、
を備えることを特徴とするサーバ。
【請求項１０】
前記画像処理装置からの前記印刷データの削除要求を受信すると、当該印刷データの削除を行う手段を更に備えることを特徴とする請求項９記載のサーバ。
【請求項１１】
プリントサーバが画像処理装置へ送信した印刷データであって当該プリントサーバに記憶されている印刷データの書誌情報を管理する書誌情報サーバであって、
前記画像処理装置から前記書誌情報の送信要求を受信すると、前記書誌情報を前記画像処理装置へ送信する手段と、
前記画像処理装置から前記書誌情報の更新要求を受信すると、前記管理している前記書誌情報の更新を行う手段と、
を備えることを特徴とする書誌情報サーバ。
【請求項１２】
サーバと画像処理装置と情報処理装置とを備えた印刷システムであって、
前記サーバは、
前記情報処理装置から印刷データを受信して当該印刷データを記憶する手段と、
当該印刷データを前記画像処理装置に送信する手段と
を備え、
前記画像処理装置は、
前記サーバに記憶されている前記印刷データをプレビュー表示させるためのプレビュー表示指示を入力する手段と、
、
前記プレビュー表示指示の入力に応じて前記サーバが送信する前記印刷データを受信する手段と、
前記受信した印刷データを保存する手段と、
前記受信した印刷データから中間データを生成する手段と、
前記生成された中間データから画面表示用のプレビュー用ジョブデータを生成し、表示する手段と、
前記生成された中間データから印刷出力用の画像データを生成し、印刷出力を行う手段と、
を備えることを特徴とする印刷システム。
【請求項１３】
第１のサーバと第２のサーバと画像処理装置と情報処理装置とを備えた印刷システムであって、
前記第１のサーバは、
前記情報処理装置から印刷データを受信して当該印刷データを記憶する手段と、
当該印刷データを前記画像処理装置に送信する手段と
を備え、
前記第２のサーバは、
前記第１のサーバに記憶されている前記印刷データの書誌情報を管理する手段を備え、
前記画像処理装置は、
前記サーバに記憶されている前記印刷データをプレビュー表示させるためのプレビュー表示指示を入力する手段と、
前記プレビュー表示指示の入力に応じて前記サーバが送信する前記印刷データを受信する手段と、
前記受信した印刷データを保存する手段と、
前記第２のサーバへ前記印刷データの書誌情報の更新要求を行う手段と、
前記第１のサーバへ前記印刷データの削除要求を行う手段と、
前記受信した印刷データから中間データを生成する手段と、
前記生成された中間データから画面表示用のプレビュー用ジョブデータを生成し、表示する手段と、
前記生成された中間データから印刷出力用の画像データを生成し、印刷出力を行う手段と、
を備えることを特徴とする印刷システム。
【請求項１４】
情報処理装置が生成した印刷データを記憶する第１のサーバから当該印刷データを受信し、印刷出力を行う画像処理装置の制御方法であって、
前記第１のサーバに記憶されている前記印刷データをプレビュー表示させるためのプレビュー表示指示を入力するステップと、
前記プレビュー表示指示の入力に応じて前記第１のサーバが送信する前記印刷データを受信するステップと、
前記受信した印刷データを保存するステップと、
前記受信した印刷データから中間データを生成するステップと、
前記生成された中間データから画面表示用のプレビュー用ジョブデータを生成し、表示するステップと、
前記生成された中間データから印刷出力用の画像データを生成し、印刷出力を行うステップと、
を含むことを特徴とする画像処理装置の制御方法。
【請求項１５】
情報処理装置から受信した印刷データを記憶し、当該印刷データを画像処理装置に送信するサーバの制御方法であって、
前記画像処理装置におけるプレビュー表示のためのプレビュー用ジョブデータの送信要求を前記画像処理装置から受信するステップと、
前記プレビュー用ジョブデータの送信要求を受信すると、前記印刷データを前記画像処理装置へ送信するステップと、
を含むことを特徴とするサーバの制御方法。
【請求項１６】
コンピュータに請求項１４又は１５に記載の方法を実行させるプログラムを記録したコンピュータ読み取り可能な記録媒体。
【請求項１７】
コンピュータに請求項１４又は１５に記載の方法を実行させるプログラム。
【発明の詳細な説明】
【技術分野】
【０００１】
本発明は、画像処理装置、サーバ、情報処理装置及びこれらの装置を備える印刷システムに関するものである。
【背景技術】
【０００２】
従来の印刷システム（例えば、特許文献１）では、情報処理装置またはプリントサーバに印刷データを記憶しておき、プレビュー指示に基づいて、情報処理装置またはプリントサーバから印刷データを取得していた。さらに、当該印刷システムは、情報処理装置において、プレビュー表示を行うように制御していた。ここで、プレビュー表示後の、印刷出力に際しては、再度、情報処理装置またはプリントサーバから画像処理装置に対して、印刷データの送信を行っていた。
【０００３】
【特許文献１】特開２０００−３１１０６８号公報
【発明の開示】
【発明が解決しようとする課題】
【０００４】
しかしながら、特許文献１に開示の印刷システムでは、プレビュー表示後の、印刷出力に際しては、再度、情報処理装置またはプリントサーバから画像処理装置に対して、印刷データの送信を行う必要があった。
【０００５】
また、印刷データが、情報処理装置またはプリントサーバに記憶されているため、印刷出力の度に、情報処理装置またはプリントサーバから画像処理装置に対して、印刷データの送信を行う必要があった。そのため、プレビュー表示後に、印刷データの送信により印刷出力に時間がかかる、という課題があった。
【０００６】
また、印刷出力の度に、印刷データの送信により、再印刷の出力に時間がかかる、という課題があった。
【０００７】
そこで、本発明は、プリントサーバに記憶されている印刷データを高速に印刷出力することができる画像処理装置及び印刷システムを提供することを目的とする。
【課題を解決するための手段】
【０００８】
上記目的を達成するために、本発明の画像処理装置は、情報処理装置が生成した印刷データを記憶する第１のサーバから当該印刷データを受信し、印刷出力を行う画像処理装置であって、前記第１のサーバに記憶されている前記印刷データをプレビュー表示させるためのプレビュー表示指示を入力する手段と、前記プレビュー表示指示の入力に応じて前記第１のサーバが送信する前記印刷データを受信する手段と、前記受信した印刷データを保存する手段と、前記受信した印刷データから中間データを生成する手段と、前記生成された中間データから画面表示用のプレビュー用ジョブデータを生成し、表示する手段と、前記生成された中間データから印刷出力用の画像データを生成し、印刷出力を行う手段と、を備えることを特徴とする。
【０００９】
また、本発明のサーバは、情報処理装置から受信した印刷データを記憶し、当該印刷データを画像処理装置に送信するサーバであって、前記画像処理装置におけるプレビュー表示のためのプレビュー用ジョブデータの送信要求を前記画像処理装置から受信する手段と、前記プレビュー用ジョブデータの送信要求を受信すると、前記印刷データを前記画像処理装置へ送信する手段と、を備えることを特徴とする。
【００１０】
さらに、本発明の印刷システムは、  サーバと画像処理装置と情報処理装置とを備えた印刷システムであって、サーバは、前記情報処理装置から印刷データを受信して当該印刷データを記憶する手段と、当該印刷データを前記画像処理装置に送信する手段とを備え、
画像処理装置は、前記サーバに記憶されている前記印刷データをプレビュー表示させるためのプレビュー表示指示を入力する手段と、前記プレビュー表示指示の入力に応じて前記サーバが送信する前記印刷データを受信する手段と、前記受信した印刷データを保存する手段と、前記受信した印刷データから中間データを生成する手段と、前記生成された中間データから画面表示用のプレビュー用ジョブデータを生成し、表示する手段と、前記生成された中間データから印刷出力用の画像データを生成し、印刷出力を行う手段とを備えることを特徴とする。
【発明の効果】
【００１１】
以上のように本発明によれば、プリントサーバへのプレビュー用ジョブデータの送信要求に基づいて、印刷データを受信して保存し、プレビュー表示後の、印刷出力に際して、受信済の印刷データを使用して印刷出力を行う。これによって、高速な印刷出力ができる画像処理装置を提供することが出来る。
【００１２】
また、本発明によれば、２回目以降に、該当の印刷データを、画像処理装置１０００から印刷出力する際に、プリントサーバからの印刷データの転送を省略する。これによって、高速な印刷出力ができる画像処理装置を提供することが出来、ユーザの利便性を向上させることができる。
【発明を実施するための最良の形態】
【００１３】
以下、本発明を実施するための最良の形態について、図面を用いて説明する。
【実施例１】
【００１４】
図１は、本発明を適用できる、印刷システムの構成を示す図である。  
図１において、画像処理装置１０００は、情報処理装置２０００、書誌情報サーバ（第２のサーバ）３０００、プリントサーバである印刷データサーバ（第１のサーバ）３００１と、ネットワーク４０００を介して接続されている。
【００１５】
情報処理装置２０００、書誌情報サーバ３０００、印刷データサーバ３００１は、ＣＰＵ、ディスプレイ、キーボード、マウス、ＨＤＤ、メモリ、ネットワーク通信用のインタフェース等を有する市販のコンピュータを使用することができる。
【００１６】
情報処理装置２０００は、印刷ジョブ生成部１０１と、制御部１０２と、Ｉ／Ｆ部１０３とから構成されている。印刷ジョブ生成部１０１は、画像処理装置１０００が印刷可能なデータフォーマットに変換したジョブデータを生成する。制御部１０２は、ジョブデータの各種制御を行う。Ｉ／Ｆ部１０３は、外部とのジョブデータの送受信を行う。
【００１７】
書誌情報サーバ３０００は、書誌情報管理部１０４と、制御部１０５と、Ｉ／Ｆ部１０６とから構成されている。書誌情報管理部１０４は、印刷データサーバ３００１または画像処理装置１０００で管理されるジョブデータの書誌情報を管理する。制御部１０５は、ジョブデータの書誌情報に対する各種制御を行う。Ｉ／Ｆ部１０６は、外部との書誌情報の送受信を行う。
【００１８】
印刷データサーバ３００１は、画像処理装置１０００から送信されるジョブデータを管理する印刷データ管理部１０７、ジョブデータの各種制御を行う制御部１０８、外部とのジョブデータの送受信を行うＩ／Ｆ部１０９、から構成されている。
【００１９】
画像処理装置１０００は、Ｉ／Ｆ部１１０と、操作部１１１と、制御部１１２と、印刷部１１３と、印刷データ管理部１１４とから構成されている。Ｉ／Ｆ部１１０は、外部とのジョブデータの送受信を行う。操作部１１１は、ユーザからの指示要求を直接受け付ける。制御部１１２は、ジョブデータの各種制御を行う。印刷部１１３は、画像信号を画像形成して印刷出力を行う。印刷データ管理部１１４は、再印刷のためにジョブデータを管理する。ここで、ＣＰＵ、ＲＡＭ、ＲＯＭ、ＨＤＤ等からなる制御部１１２において、ジョブ情報解析部１１５は、ジョブデータの各ジョブ属性の解析処理を行う。
【００２０】
ページデータ解析部１１６は、ジョブデータの各ページデータを解析し、オブジェクト単位の中間データ（ディスプレイリストなど）へ変換処理を行う。また、ページデータ解析部１１６は、変換処理された中間データをＲＡＭなど、ジョブデータ保管部１１９内のメモリ専用領域へ蓄積保存する。
【００２１】
データ描画部１１７は、蓄積保存されたオブジェクト単位の中間データから、オブジェクト単位またはページ単位のビットマップデータへ変換処理を行う。
【００２２】
出力制御部１１８は、ページ単位のビットマップデータをビデオ信号へ変換処理して、印刷部１１３の画像形成、給紙処理に同期して画像転送処理を行う。
【００２３】
ジョブデータ保管部１１９は、ページデータ解析部１１６で変換処理された中間データや、印刷データサーバ３００１から取得したジョブデータの一時保管処理を行う。
【００２４】
プレビュー制御部１２０は、オブジェクト単位またはページ単位のビットマップデータを画像信号へ変換処理して、操作部１１１の図示しない表示部へプレビュー画像表示を行う。
【００２５】
また、印刷データ管理部１１４は、ＲＡＭ、ＨＤＤ等の外部メモリの他、ＦｌａｓｈＲＯＭ等、取り外し可能な外部メモリへジョブデータを保存管理するように構成することもできる。
【００２６】
図２は、本発明を適用できる、印刷システムにおいて、ジョブデータの登録処理を示すシーケンス図である。
【００２７】
図２において、情報処理装置２０００は、図示しない操作部において、ユーザから、印刷ジョブのデータ登録の指示を受け付けると、制御部１０２にデータ登録開始を通知する。
【００２８】
また、情報処理装置２０００は、データ登録開始の通知を受け付けると、制御部１０２において、認証要求を生成し、Ｉ／Ｆ部１０３を介して、書誌情報サーバ３０００へ、認証要求の送信処理を行う（Ｓ２０１）。
【００２９】
次に、書誌情報サーバ３０００は、Ｉ／Ｆ部１０６を介して、情報処理装置２０００から認証要求を受信すると、制御部１０５において、認証処理を行う（Ｓ２０２）。
【００３０】
次に、制御部１０５において、認証要求が受理されると、書誌情報サーバ３０００は、Ｉ／Ｆ部１０６を介して、情報処理装置２０００へ、認証確認の送信処理を行う（Ｓ２０３）。
【００３１】
次に、情報処理装置２０００は、書誌情報サーバ３０００から、認証確認を受信すると、印刷ジョブ生成部１０１において、指定されたジョブデータの生成処理を行う（Ｓ２０４）。
【００３２】
次に、印刷ジョブ生成部１０１において、指定されたジョブデータが生成されると、情報処理装置２０００は、Ｉ／Ｆ部１０３を介して、印刷データサーバ３００１へ、指定されたジョブデータを送信し、データ登録要求を行う（Ｓ２０５）。
【００３３】
次に、印刷データサーバ３００１は、情報処理装置２０００から、ジョブデータを受信すると、印刷データ管理部１０７において、指定されたジョブデータの登録処理を行う（Ｓ２０６）。
【００３４】
次に、印刷データサーバ３００１は、制御部１０８において、指定されたジョブデータの書誌情報登録要求を生成し、Ｉ／Ｆ部１０９を介して、書誌情報サーバ３０００へ、指定されたジョブデータの書誌情報登録要求の送信処理を行う（Ｓ２０７）。
【００３５】
書誌情報サーバ３０００は、Ｉ／Ｆ部１０６を介して、印刷データサーバ３００１から、指定されたジョブデータの書誌情報登録要求を受信すると、書誌情報管理部１０４において、指定されたジョブデータの書誌情報登録処理を行う（Ｓ２０８）。
【００３６】
次に、書誌情報管理部１０４において、指定されたジョブデータの書誌情報が登録されると、書誌情報サーバ３０００は、印刷データサーバ３００１へ、指定されたジョブデータの書誌情報登録確認の送信処理を行う（Ｓ２０９）。
【００３７】
次に、印刷データサーバ３００１は、書誌情報サーバ３０００から、指定されたジョブデータの書誌情報登録確認を受信すると、情報処理装置２０００へ、指定されたジョブデータの登録確認の送信処理を行う（Ｓ２１０）。
【００３８】
次に、情報処理装置２０００は、印刷データサーバ３００１から、指定したジョブデータの登録確認を受信すると、印刷ジョブのデータ登録処理を終了する。
【００３９】
以上により、書誌情報サーバ３０００で一元管理される書誌情報に基づいて、任意の画像処理装置１０００において、印刷データサーバ３００１からジョブデータを取得して、印刷出力することができる。
【００４０】
図３は、本発明を適用できる、印刷システムにおいて、ジョブデータの登録先変更処理を示すシーケンス図である。
【００４１】
図３において、画像処理装置１０００は、操作部１１１において、ユーザから、登録済データの操作（プルプリント）開始を受け付けると、制御部１１２に操作開始を通知する。
【００４２】
また、画像処理装置１０００は、操作開始の通知を受け付けると、制御部１１２において、認証要求を生成し、Ｉ／Ｆ部１１０を介して、書誌情報サーバ３０００へ、認証要求の送信処理を行う（Ｓ３０１）。
【００４３】
次に、書誌情報サーバ３０００は、Ｉ／Ｆ部１０６を介して、画像処理装置１０００から認証要求を受信すると、制御部１０５において、認証処理を行う（Ｓ３０２）。
【００４４】
次に、制御部１０５において、認証が行われると、書誌情報サーバ３０００は、Ｉ／Ｆ部１０６を介して、画像処理装置１０００へ、書誌情報リストの送信処理を行う（Ｓ３０３）。
【００４５】
次に、画像処理装置１０００は、書誌情報サーバ３０００から、書誌情報リストを受信すると、操作部１１１において、書誌情報リストに基づいて、印刷データリストの表示を行う。そして、画像処理装置１０００は、任意のジョブデータに対するプレビュー表示の指示を受け付ける待ち受け状態に移行する（Ｓ３０４）。
【００４６】
次に、操作部１１１において、任意のジョブデータに対するプレビュー表示の指示を受け付けると、画像処理装置１０００は、Ｉ／Ｆ部１１０を介して、印刷データサーバ３００１へ、画面表示用のプレビュー用ジョブデータのデータ送信要求を行う（Ｓ３０５）。
【００４７】
次に、印刷データサーバ３００１は、画像処理装置１０００から、プレビュー用ジョブデータのデータ送信要求を受信すると、印刷データ管理部１０７において、指定されたジョブデータの読み出し処理を行う（Ｓ３０６）。
【００４８】
次に、印刷データサーバ３００１は、印刷データ管理部１０７において、指定されたジョブデータの読み出しが完了すると、Ｉ／Ｆ部１０９を介して、画像処理装置１０００へ、指定されたジョブデータの送信処理を行う（Ｓ３０７）。
【００４９】
次に、画像処理装置１０００は、Ｉ／Ｆ部１１０を介して、印刷データサーバ３００１から指定したジョブデータを受信すると、ジョブ情報解析部１１５、ページデータ解析部１１６において、指定したジョブデータから中間データを生成する。
【００５０】
また、画像処理装置１０００は、ジョブデータ保管部１１９において、生成した中間データの一時保管処理を行う。
【００５１】
また、画像処理装置１０００は、プレビュー制御部１２０において、中間データから、プレビュー用画像へ変換処理して、操作部１１１において、ジョブデータのプレビュー表示を行う（Ｓ３０８）。
【００５２】
次に、画像処理装置１０００が、操作部１１１において、プレビュー表示を行ったジョブデータに対する印刷出力の指示を受け付ける。その場合、画像処理装置１０００は、データ描画部１１７において、一時保管された中間データから、印刷出力用の画像データへ変換処理して、出力制御部１１８、印刷部１１３において、指定されたジョブデータの印刷出力を行う（Ｓ３０９）。
【００５３】
ここで、プレビュー表示の際に生成した中間データから印刷出力を行い、ページデータ解析部１１６の処理を省略できるため、指定されたジョブデータの印刷出力を高速に処理することができる。
また、中間データからプレビュー用画像へ変換処理をすることで、プレビュー画像の加工を柔軟に行うことができる。
【００５４】
次に、印刷部１１３から印刷出力され、操作部１１１において、出力結果に対するユーザからの出力確認を受け付ける。その場合、画像処理装置１０００は、ジョブデータ保管部１１９に保管された中間データを、印刷データ管理部１１４へジョブデータの登録処理を行う（Ｓ３１０）。
【００５５】
次に、画像処理装置１０００は、書誌情報サーバ３０００へ、印刷データ管理部１１４へ登録したジョブデータに対する書誌情報更新要求の送信処理を行う（Ｓ３１１）。
【００５６】
次に、書誌情報サーバ３０００は、Ｉ／Ｆ部１０６を介して、画像処理装置１０００から、任意のジョブデータに対する書誌情報更新要求を受信すると、書誌情報管理部１０４において、指定されたジョブデータに対する書誌情報更新処理を行う（Ｓ３１２）。
【００５７】
次に、書誌情報管理部１０４において、指定されたジョブデータに対する書誌情報が更新されると、書誌情報サーバ３０００は、画像処理装置１０００へ、指定されたジョブデータに対する書誌情報更新確認の送信処理を行う（Ｓ３１３）。
【００５８】
次に、画像処理装置１０００は、Ｉ／Ｆ部１１０を介して、書誌情報サーバ３０００から指定したジョブデータに対する書誌情報更新確認を受信すると、印刷データサーバ３００１へ、印刷出力したジョブデータの削除要求の送信処理を行う（Ｓ３１４）。
【００５９】
次に、印刷データサーバ３００１は、画像処理装置１０００から、任意のジョブデータの削除要求を受信すると、印刷データ管理部１０７において、指定されたジョブデータの削除処理を行う（Ｓ３１５）。
【００６０】
次に、印刷データ管理部１０７において、指定されたジョブデータの削除処理が完了すると、印刷データサーバ３００１は、画像処理装置１０００へ、指定されたジョブデータの削除確認の送信処理を行う（Ｓ３１６）。
【００６１】
次に、画像処理装置１０００は、印刷データサーバ３００１から、指定したジョブデータの削除確認を受信すると、プルプリント処理を終了する。
【００６２】
以上により、画像処理装置１０００から印刷出力されたジョブデータに対する、ジョブデータの管理元が、印刷データサーバ３００１から画像処理装置１０００へ変更される。したがって、２回目以降に、該当のジョブデータを、画像処理装置１０００から印刷出力する際に、印刷データサーバ３００１からのジョブデータの転送を省略できる。それにより、画像処理装置１０００から、該当ジョブデータの印刷出力を高速に処理することができる。
【００６３】
尚、本例では、印刷データサーバ３００１がジョブデータを画像処理装置１０００に送信した後、印刷データサーバ３００１は、画像処理装置１０００からの削除要求にしたがって、保存していたジョブデータを削除する。その理由は、印刷データサーバ３００１に当該ジョブデータを残しておくと、同一のジョブデータが重複して存在することになり、書誌情報サーバ３０００による管理が複雑になるおそれがあるからである。ただし、その管理上の問題が少なければ、印刷データサーバ３００１に当該ジョブデータを残しておいても構わない。印刷データサーバ３００１に保存されている当該ジョブデータを用いて印刷したい場合もあるからである。
【００６４】
次に、このように構成された画像処理装置１０００において、印刷データサーバ３００１からジョブデータを取得し、書誌情報サーバ３０００の書誌情報を更新して、ジョブデータの登録先を変更する処理を説明する。本処理については、図４と図５のフローチャート、及び、図６〜図９を用いて詳細に説明する。
【００６５】
図４と図５は、本発明を適用できる、画像処理装置１０００における、プルプリント処理を示すフローチャートである。
【００６６】
図４において、まず、操作部１１１は、ユーザから、プルプリント開始を受け付けると、制御部１１２に操作開始を通知する。それを受けて、制御部１１２において、操作部１１１へ、認証入力画面の表示指示を行い、ユーザからの認証入力待ち状態へ移行する。
【００６７】
ここで、図６は、本発明を適用できる、操作部１１１に表示される、認証入力画面の一例を示す図である。
【００６８】
図６において、認証入力画面６０１には、ユーザ名入力欄６０２及びパスワード入力欄６０３があり、ユーザは、ユーザ名及びパスワードを入力し、ログインボタン６０５を押下することで、画像処理装置１０００へ認証要求を指示することができる。
【００６９】
キャンセルボタン６０４が押下された場合、ユーザは認証をキャンセルし、操作部１１１は通常画面の表示に戻る。
【００７０】
次に、操作部１１１において、ログインボタン６０５の押下が検知されると、入力されたユーザ名及びパスワードを制御部１１２へ通知する。
【００７１】
制御部１１２は、通知されたユーザ名及びパスワードから認証要求を生成し、Ｉ／Ｆ部１１０を介して、書誌情報サーバ３０００へ、認証要求の送信処理を行う（Ｓ４０１）。
【００７２】
次に、制御部１１２は、Ｉ／Ｆ部１１０を介して、書誌情報サーバ３０００から、認証結果を受信し、受信した認証結果の判定処理を行う（Ｓ４０２）。
【００７３】
ここで、認証結果が不許可であった場合、制御部１１２は、操作部１１１に対して、エラー通知を行う。エラー通知を受け付けた操作部１１１は、入力されたユーザ名及びパスワードを消去して、制御部１１２は、再度、認証入力待ち状態へ移行する。
【００７４】
次に、認証結果が許可であった場合、制御部１１２は、Ｉ／Ｆ部１１０を介して、書誌情報サーバ３０００から、書誌情報リスト受信する（Ｓ４０３）。
【００７５】
ここで、書誌情報リストを正常に受信できなかった場合、制御部１１２は、操作部１１１に対して、エラー通知を行う。エラー通知を受け付けた操作部１１１は、エラー表示を行って、プルプリント処理を終了する（Ｓ４１１）。
【００７６】
次に、書誌情報リストを正常に受信できた場合、制御部１１２は、操作部１１１に対して、書誌情報リストに基づいて、印刷データリストの表示を指示する。印刷データリストの表示指示を受け付けた操作部１１１は、印刷データリストの表示を行い、ユーザからの操作指示入力待ち状態へ移行する（Ｓ４０４）。
【００７７】
ここで、図７は、本発明を適用できる、操作部１１１に表示される、印刷データリスト画面の一例を示す図である。
【００７８】
図７において、印刷データリスト画面７０１には、認証されているユーザ名７０２、印刷データ一覧７０３が表示されている。
【００７９】
ここで、印刷データ一覧７０３には、次の情報が表示されている。
【００８０】
・書誌情報リストから取得した、各ジョブデータに対する、ジョブデータを識別する「文書名」
・ジョブデータ内に含まれる「カラー／モノクロ情報」
・ジョブデータ出力時の「総ページ数」
・印刷データサーバ３００１に登録された「入稿時間」
【００８１】
本例は、選択チェックボックスにより、文書名「新製品パンフレット」のジョブデータが選択されていることを示す。
【００８２】
また、印刷データリスト画面７０１には、選択したジョブデータに対する、プレビュー表示を指示するプレビューボタン７０４、印刷出力を指示する印刷実行ボタン７０５が装備されている。
【００８３】
また、ログアウトボタン７０６により、認証状態を解除し、プルプリント処理をキャンセルして、通常画面に戻ることができる。
【００８４】
次に、操作部１１１において、印刷データリスト画面７０１のボタン押下が検知されると、制御部１１２に対して、ボタン押下に基づき、選択されているジョブデータに対する操作指示が通知される。
【００８５】
次に、制御部１１２では、指示された操作指示の確認処理を行う（Ｓ４０５）。
【００８６】
ここで、ジョブデータに対する操作指示が、プレビューボタン７０４押下によるプレビュー表示指示であった場合、制御部１１２は、印刷データサーバ３００１に対してプレビュー用ジョブデータのデータ送信要求を行う（Ｓ４０６）。
【００８７】
ジョブデータに対する操作指示が、プレビューボタン７０４押下によるプレビュー表示指示でなかった場合については後述する。
【００８８】
次に、制御部１１２は、Ｉ／Ｆ部１１０を介して、印刷データサーバ３００１から、指定したジョブデータが受信できたか確認処理を行う（Ｓ４０７）。
【００８９】
ここで、指定したジョブデータを正常に受信できなかった場合、制御部１１２は、操作部１１１に対して、エラー通知を行う。エラー通知を受け付けた操作部１１１は、エラー表示を行って、プルプリント処理を終了する（Ｓ４１１）。
【００９０】
次に、指定したジョブデータを正常に受信できた場合、ジョブ情報解析部１１５において、ジョブデータの各ジョブ属性の解析処理を行う。
【００９１】
また、ページデータ解析部１１６において、指定したジョブデータから中間データを生成する。ここで、生成された中間データは、ジョブデータ保管部１１９に保管される（Ｓ４０８）。
【００９２】
次に、プレビュー制御部１２０において、指定したジョブデータの中間データから、プレビュー用画像へ変換処理を行う（Ｓ４０９）。
【００９３】
次に、プレビュー制御部１２０において、変換処理されたプレビュー用画像を操作部１１１へ通知する。そして、操作部１１１において、ジョブデータのプレビュー表示を行う（Ｓ４１０）。
【００９４】
ここで、図８は、本発明を適用できる、操作部１１１に表示される、プレビュー表示画面の一例を示す図である。
【００９５】
図８において、プレビュー表示画面８０１には、選択されているジョブデータに関する情報８０２が表示されている。ここでは、「文書名」、表示されているページの「ページサイズ」、表示されている「ページ番号」及び「総ページ数」が表示されている。また、プレビュー表示部８０５に表示されるプレビュー画像は、拡大ボタン８０７及び縮小ボタン８０４により、拡大表示、縮小表示が可能である。
【００９６】
また、表示ページ切り替えボタン（前ページ８０６、次ページ８０３）により、ジョブデータ中で、表示されるページを切り替えることができる。
【００９７】
また、プレビュー表示画面８０１には、プレビュー表示されているジョブデータに対する、印刷出力を指示する印刷実行ボタン８０９が装備されている。
【００９８】
ここでは、印刷実行ボタン８０９により、プレビュー表示されているジョブデータ全体の印刷出力を指示するように構成されているが、プレビュー表示されているページのみ、印刷出力を指示するように構成してもよい。
【００９９】
また、戻るボタン８０８により、印刷データリスト画面７０１に表示を切り替えることが可能である。
【０１００】
次に、制御部１１２では、指示された操作指示の確認処理を行う（図５のＳ４１２）。
【０１０１】
ここで、プレビュー表示画面８０１における印刷実行ボタン８０９押下、または、Ｓ４０５での、印刷データリスト画面７０１における印刷実行ボタン７０５押下による印刷出力指示があったとする。その場合、制御部１１２は、ジョブデータ保管部１１９に、中間データが保存済（生成済）であるか確認処理を行う（Ｓ４１３）。
【０１０２】
ここで、中間データが保存済でない場合、制御部１１２において、Ｉ／Ｆ部１１０に対して、印刷データサーバ３００１へ、プレビュー用ジョブデータのデータ送信要求を行うように通知される（Ｓ４１４）。
【０１０３】
次に、制御部１１２は、Ｉ／Ｆ部１１０を介して、印刷データサーバ３００１から、指定したジョブデータが受信できたか確認処理を行う（Ｓ４１５）。
【０１０４】
ここで、指定したジョブデータを正常に受信できなかった場合、制御部１１２は、操作部１１１に対して、エラー通知を行う。エラー通知を受け付けた操作部１１１は、エラー表示を行って、プルプリント処理を終了する（Ｓ４２５）。
【０１０５】
次に、指定したジョブデータを正常に受信できた場合、ジョブ情報解析部１１５において、ジョブデータの各ジョブ属性の解析処理を行う。
【０１０６】
また、ページデータ解析部１１６において、指定したジョブデータから中間データを生成する。ここで、生成された中間データは、ジョブデータ保管部１１９に保管される（Ｓ４１６）。
【０１０７】
次に、データ描画部１１７において、一時保管された中間データから、印刷出力用画像へ変換処理を行う（Ｓ４１７）。
【０１０８】
次に、出力制御部１１８において、データ描画部１１７で変換された印刷出力用画像を、印刷部１１３の画像形成、給紙処理に同期して画像転送処理を行って、指定されたジョブデータの印刷出力を行う（Ｓ４１８）。
【０１０９】
次に、印刷部１１３から、出力制御部１１８を介して、印刷出力が正常に完了したことを通知されると、制御部１１２において、操作部１１１へ、印刷出力確認の表示指示を行い、ユーザからの確認入力待ち状態へ移行する（Ｓ４１９）。
【０１１０】
ここで、図９は、本発明を適用できる、操作部１１１に表示される、印刷出力確認画面の一例を示す図である。
【０１１１】
図９において、印刷出力確認画面９０１には、ユーザに、印刷出力の確認を促すメッセージと、確認ボタン９０２があり、確認ボタン９０２押下により、ユーザは、印刷出力が確認できたことを指示する。
【０１１２】
ここで、ユーザは、Ｎｉｎ１印刷や、両面印刷等で、縮小による文字つぶれや、面付け不正がないか、を出力結果から確認することができる。
【０１１３】
また、印刷出力確認の結果、満足できなかった場合に、再度、印刷処理を実行する印刷再実行ボタン９０３がある。
【０１１４】
印刷再実行ボタン９０３押下により、図示しない印刷設定画面が表示され、ユーザは、印刷設定を変更して、再印刷処理を指示することが可能である。
【０１１５】
また、印刷出力確認の結果、満足できなかった場合に、印刷処理を中断するキャンセルボタン９０４がある。
【０１１６】
ここで、ユーザからのボタン押下が一定時間なかった場合に、自動的に、確認ボタン９０２押下、または、キャンセルボタン９０４押下、が行われたように処理を続行するように構成してもよい。
【０１１７】
次に、操作部１１１から指示された操作指示の確認処理の結果、印刷出力確認画面９０１における確認ボタン９０２押下による印刷出力確認指示であったとする。その場合、制御部１１２において、ジョブデータ保管部１１９に保管された中間データを、印刷データ管理部１１４へジョブデータの登録処理を行う（Ｓ４２０）。
【０１１８】
次に、制御部１１２において、書誌情報サーバ３０００へ、印刷データ管理部１１４へ登録したジョブデータに対する書誌情報更新要求を、Ｉ／Ｆ部１１０を介して、送信処理を行う（Ｓ４２１）。
【０１１９】
次に、制御部１１２において、印刷データサーバ３００１へ、印刷データ管理部１１４へ登録したジョブデータに対するジョブデータ削除要求を、Ｉ／Ｆ部１１０を介して、送信処理を行う（Ｓ４２２）。
【０１２０】
また、操作部１１１から指示された操作指示の確認処理の結果、印刷出力確認画面９０１におけるキャンセルボタン９０４押下による印刷出力破棄指示であったとする。その場合、制御部１１２において、ジョブデータ保管部１１９に一時保管された中間データを、削除する処理を行う（Ｓ４２３）。
【０１２１】
次に、制御部１１２は、Ｉ／Ｆ部１１０が、印刷データサーバ３００１から、指定したジョブデータの削除要求に対する削除確認を受信したか確認処理を行う。あるいは、制御部１１２は、ジョブデータ保管部１１９が一時保管された不要な中間データの削除を実行したか確認処理を行う（Ｓ４２４）。
【０１２２】
ここで、指定したジョブデータの削除確認ができた場合、プルプリント処理を正常終了する。
【０１２３】
また、指定したジョブデータの削除確認ができなかった場合、制御部１１２は、操作部１１１に対して、エラー通知を行う。エラー通知を受け付けた操作部１１１は、エラー表示を行って、プルプリント処理を終了する（Ｓ４２５）。
【０１２４】
以上により、画像処理装置１０００から印刷出力されたジョブデータに対する、ジョブデータの管理元が、印刷データサーバ３００１から画像処理装置１０００へ変更される。そのため、２回目以降に、該当のジョブデータを、画像処理装置１０００から印刷出力する際に、印刷データサーバ３００１からのジョブデータの転送を省略できる。したがって、画像処理装置１０００から、該当ジョブデータの印刷出力を高速に処理することができる。
【０１２５】
また、本実施例では、ユーザによる出力確認を行ったジョブデータのみを、画像処理装置１０００内に登録管理する。そのため、プレビューのみを実行したジョブデータや、ユーザの意図しない、印刷出力頻度の低いジョブデータにより、印刷データ管理部１１４のメモリ領域が圧迫されることを防ぐことができる。
【実施例２】
【０１２６】
前記実施例において、印刷データリスト画面７０１で、選択されたジョブデータに対して、プレビューボタン７０４押下により、プレビュー表示指示が行われた場合、Ｓ４０６において、無条件に、プレビュー用ジョブデータのデータ送信要求を行っていた。
【０１２７】
ここで、選択されたジョブデータが、印刷データ管理部１１４に登録済かどうか判定することで、印刷データサーバ３００１から不要なジョブデータの受信を行わないように、構成することもできる。
【０１２８】
ここで、図１０は、本発明を適用できる、操作部１１１に表示される、印刷データリスト画面の第２の一例を示す図である。
【０１２９】
図１０において、印刷データリスト画面１００１には、該当するジョブデータが、印刷データサーバ３００１に登録されているか、印刷データ管理部１１４に登録されているかを示す「取得済」欄１００２が表示されている。
【０１３０】
該当するジョブデータが印刷データ管理部１１４に登録されている場合、「取得済」欄１００２には、「◎」が表示される。ユーザは、この表示により、該当するジョブデータが、印刷データサーバ３００１に登録されているか、印刷データ管理部１１４に登録されているかを識別することができる。
【０１３１】
また、該当するジョブデータの登録先は、書誌情報サーバ３０００で管理される書誌情報に書き込まれている。
【０１３２】
次に、印刷データリスト画面１００１において、プレビューボタン７０４が押下された場合の、画像処理装置１０００における処理について、図１１のフローチャートを用いて説明する。
【０１３３】
図１１と図１２は、本発明を適用できる、画像処理装置１０００における、第２のプルプリント処理を示すフローチャートである。
【０１３４】
Ｓ４０４では、制御部１１２において、操作部１１１に対して、書誌情報サーバ３０００から取得した書誌情報リストに基づいて、印刷データリスト画面１００１の表示を指示し、ユーザからの操作指示入力を待つ。
【０１３５】
次に、制御部１１２では、指示された操作指示の確認処理を行う（Ｓ４０５）。
【０１３６】
ここで、ジョブデータに対する操作指示が、プレビューボタン７０４押下によるプレビュー表示指示であったとする。その場合、制御部１１２において、書誌情報サーバ３０００から取得した書誌情報リストに基づいて、選択されたジョブデータが、印刷データ管理部１１４に登録済かどうか確認処理を行う（Ｓ１１０１）。
【０１３７】
ここで、選択されたジョブデータが、印刷データ管理部１１４に登録済であった場合、制御部１１２において、印刷データ管理部１１４から、選択されたジョブデータの読み出し処理を行う（Ｓ１１０２）。
【０１３８】
次に、プレビュー制御部１２０において、読み出されたジョブデータの中間データから、プレビュー用画像へ変換処理を行う（Ｓ４０９）。
【０１３９】
また、Ｓ４１２、Ｓ４１３において、選択されたジョブデータに対する印刷出力指示があったとする。その場合、制御部１１２において、書誌情報サーバ３０００から取得した書誌情報リストに基づいて、選択されたジョブデータが、印刷データ管理部１１４に登録済かどうか確認処理を行う（Ｓ１１０３）。
【０１４０】
ここで、選択されたジョブデータが、印刷データ管理部１１４に登録済であった場合、制御部１１２において、印刷データ管理部１１４から、選択されたジョブデータの読み出し処理を行う（Ｓ１１０４）。
【０１４１】
次に、データ描画部１１７において、読み出されたジョブデータの中間データから、出力用画像へ変換処理を行う（Ｓ４１７）。
【０１４２】
以上により、選択されたジョブデータが、印刷データ管理部１１４に登録済かどうか判定することで、印刷データサーバ３００１から不要なジョブデータの転送を省略できる。それにより、画像処理装置１０００において、該当ジョブデータのプレビュー表示及び印刷出力を高速に処理することができる。
【実施例３】
【０１４３】
前記実施例において、印刷データリスト画面６０１では、選択されたジョブデータに対して、プレビューボタン６０４押下により、プレビュー表示指示が行われた場合、Ｓ４０６において、無条件に、プレビュー用ジョブデータのデータ送信要求を行っていた。
【０１４４】
ここで、ページデータ解析部１１６は、他の画像処理装置でも出力可能な汎用的な中間データを生成可能か判定する。汎用的な中間データを生成できない場合、画像処理装置１０００の機器能力に応じて、該当するジョブデータの管理元を、印刷データサーバ３００１から画像処理装置１０００へ変更しないように構成することもできる。
【０１４５】
ここで、図１３は、本発明を適用できる、操作部１１１に表示される、印刷データリスト画面の第３の一例を示す図である。
【０１４６】
図１３において、印刷データリスト画面１３０１では、モノクロプリンタでのカラー文書出力のように、文書のジョブ属性通りに印刷出力できないジョブデータを識別できるように、該当ジョブデータに対して強調表示１３０２が行われる。
【０１４７】
ここで、モノクロプリンタである画像処理装置１０００において、カラー文書のジョブデータが選択された場合、ジョブデータ保管部１１９にはモノクロ中間データの一時保管を行うが、印刷データ管理部１１４への登録は行わない。
【０１４８】
また、印刷データリスト画面１３０１において、複数のジョブデータを同時に指定して、プレビュー表示や印刷実行を指示することも可能である（１３０３）。
【０１４９】
ここでは、機器能力として、カラー／モノクロ処理を示したが、その他の機器能力、例えば、Ｎｉｎ１や製本等の面付け処理、画像回転処理、であってもよい。
【０１５０】
以上により、選択されたジョブデータの汎用的な中間データを生成できない場合、画像処理装置１０００の機器能力に応じて、該当するジョブデータの管理元を選択することで、該当するジョブデータに最適な印刷データ管理場所へジョブデータを保存できる。それにより、ユーザの利便性を向上させることができる。
【実施例４】
【０１５１】
前記実施例において、画像処理装置１０００は、プレビュー表示指示が行われた場合、印刷データサーバ３００１から、選択されたジョブデータを取得していた。
【０１５２】
ここで、画像処理装置１０００において、プレビュー表示指示以外のタイミングをトリガとして、印刷データサーバ３００１から、特定のジョブデータを取得するように、構成することもできる。
【０１５３】
ここで、図１４は、本発明を適用できる、操作部１１１に表示される、ジョブデータ取得設定画面の一例を示す図である。
【０１５４】
図１４において、ジョブデータ取得設定画面には、ジョブデータを取得するタイミングを設定するデータ取得設定欄１４０２が表示されている。
【０１５５】
データ取得設定欄１４０２で、「プレビュー実行時」が選択されている時は、前記実施例で説明した通りの処理を行う。
【０１５６】
データ取得設定欄１４０２で、「ユーザ認証時」が選択されている時には、画像処理装置１０００において、ユーザからの認証入力を受け付けた時にジョブデータの取得を実行する。
【０１５７】
さらに、データ取得設定欄１４０２で、「ユーザ認証時」が選択された時には、詳細設定欄１４０３へ、取得するジョブデータを特定するための詳細設定を行うことができる。
【０１５８】
データ取得設定欄１４０２で、「プレビュー実行時」が選択された時は、詳細設定欄１４０３はグレイアウト表示になり、ユーザは、印刷データリスト画面７０１、１００１、１３０１で、任意のジョブデータを選択できる。
【０１５９】
また、データ取得設定欄１３０２、詳細設定欄１３０３の設定が行われた後、決定ボタン１４０４が押下されると、制御部１１２へジョブデータ取得設定が保存される。
【０１６０】
また、キャンセルボタン１４０５が押下されると、制御部１１２のジョブデータ取得設定を更新せずに処理を終了する。
【０１６１】
次に、「ユーザ認証時」が設定されている時に、認証入力画面６０１において、ログインボタン６０５が押下された場合の、画像処理装置１０００における処理について、図１５のフローチャートを用いて説明する。
【０１６２】
図１５は、本発明を適用できる、画像処理装置１０００における、認証処理時にジョブデータを取得する処理を示すフローチャートである。
【０１６３】
Ｓ４０４で、書誌情報サーバ３０００から書誌情報リストを正常に受信できた場合、制御部１１２において、ジョブデータ取得設定として、「印刷済も取得する」設定が保存されているか確認処理を行う（Ｓ１５０１）。
【０１６４】
ここで、「印刷済も取得する」設定が保存されている場合、制御部１１２において、書誌情報リストに基づいて、印刷済／未印刷を含めて、未取得のジョブデータから、入稿日時が最も新しいジョブデータのデータ送信要求を行う（Ｓ１５０２）。
【０１６５】
または、「印刷済も取得する」設定が保存されていない（「印刷済は取得しない」）場合、制御部１１２において、書誌情報リストに基づいて、未印刷で、未取得のジョブデータから、入稿日時が最も新しいジョブデータのデータ送信要求を行う（Ｓ１５０３）。
【０１６６】
次に、特定したジョブデータを正常に受信できた場合（Ｓ４０７）、ページデータ解析部１１６において、受信したジョブデータから中間データを生成し、生成した中間データを、ジョブデータ保管部１１９に保管する（Ｓ４０８）。
【０１６７】
次に、制御部１１２において、詳細設定欄１４０３で設定された数のジョブデータの取得が完了したか確認処理を行う（Ｓ１５０４）。
【０１６８】
ここで、詳細設定欄１４０３で設定された数のジョブデータの取得が完了していない場合、制御部１１２において、書誌情報リストに基づいて、Ｓ１５０１から処理を繰り返す。
【０１６９】
以上により、プレビュー表示指示以外のタイミングをトリガとして、印刷データサーバ３００１から、特定のジョブデータを取得することができる。それにより、プレビュー表示指示が行われる前に、中間データを生成しておくことができ、プレビュー表示自体も高速に処理することができる。
【実施例５】
【０１７０】
前記実施例において、印刷出力確認画面９０１で、選択されたジョブデータに対して、印刷出力確認指示が行われた場合、Ｓ４２０において、無条件に、中間データを、印刷データ管理部１１４へ登録する処理を行っていた。
【０１７１】
ここで、選択されたジョブデータを、印刷出力後に、印刷データ管理部１１４に登録するかどうか判定することで、不要なジョブデータを印刷データ管理部１１４に登録しないように、構成することもできる。
【０１７２】
ここで、図１６は、本発明を適用できる、書誌情報サーバ３０００で管理される、書誌情報リストの一例を示す図である。
【０１７３】
図１６において、書誌情報リストには、該当するジョブデータが、印刷出力後も、引き続き、印刷データ管理部１０７、１１４に登録しておくか、印刷出力後に、印刷データ管理部１０７、１１４から削除するか、を示す印刷後情報１６０１が設定されている。
【０１７４】
次に、書誌情報リストにおいて、印刷後情報１６０１が設定されている場合の、画像処理装置１０００における処理について、図１７のフローチャートを用いて説明する。
【０１７５】
図１７は、本発明を適用できる、画像処理装置１０００における、第３のプルプリント処理を示すフローチャートである。
【０１７６】
Ｓ４１９で、操作部１１１から指示された操作指示の確認処理の結果、印刷出力確認画面９０１における確認ボタン９０２押下による印刷出力確認指示であるとする。その場合、制御部１１２において、書誌情報リストに基づいて、印刷出力後にジョブデータを登録しておくか確認処理を行う（Ｓ１７０１）。
【０１７７】
ここで、印刷出力後にジョブデータを登録しておく設定の場合、制御部１１２において、ジョブデータ保管部１１９に保管された中間データを、印刷データ管理部１１４へジョブデータの登録処理を行う（Ｓ４２０）。
【０１７８】
または、印刷出力後にジョブデータを削除する設定の場合、制御部１１２において、ジョブデータ保管部１１９に一時保管された中間データを、削除する処理を行う（Ｓ１７０２）。
【０１７９】
次に、Ｓ４２１、Ｓ４２２で、書誌情報サーバ３０００の書誌情報を更新し、印刷データサーバ３００１からジョブデータを削除する。
【０１８０】
以上により、選択されたジョブデータを、印刷出力後に、印刷データ管理部１１４に登録するかどうか判定することで、不要なジョブデータを印刷データ管理部１１４に登録しないようにすることで、印刷データ管理部１１４の保存領域を削減できる。
【０１８１】
＜他の実施形態＞
前述した実施形態の機能を実現するように前述した実施形態の構成を動作させるプログラムを記録媒体に記憶させ、該記録媒体に記憶されたプログラムをコードとして読み出し、コンピュータにおいて実行する処理方法も上述の実施形態の範疇に含まれる。該記録媒体は、コンピュータ読み取り可能な記録媒体である。また、前述のプログラムが記憶された記録媒体はもちろんそのプログラム自体も上述の実施形態に含まれる。かかる記録媒体としてはたとえばフロッピー（登録商標）ディスク、ハードディスク、光ディスク、光磁気ディスク、ＣＤ―ＲＯＭ、磁気テープ、不揮発性メモリカード、ＲＯＭを用いることができる。また前述の記録媒体に記憶されたプログラム単体で処理を実行しているものに限らず、他のソフトウエア、拡張ボードの機能と共同して、ＯＳ上で動作し前述の実施形態の動作を実行するものも前述した実施形態の範疇に含まれる。
【０１８２】
以上、本発明を実施の形態を用いて説明したが、本発明の技術的範囲は上記実施の形態に記載の範囲に限定されない。上記実施の形態に、多様な変更または改良を加え得ることが当業者に明らかである。そのような変更または改良を加えた形態も本発明の技術的範囲に含まれることが、特許請求の範囲の記載から明らかである。
【図面の簡単な説明】
【０１８３】
【図１】本発明を適用できる、印刷システムの構成を示す図である。
【図２】本発明を適用できる、印刷システムにおいて、ジョブデータの登録処理を示すシーケンス図である。
【図３】本発明を適用できる、印刷システムにおいて、ジョブデータの登録先変更処理を示すシーケンス図である。
【図４】本発明を適用できる、画像処理装置１０００における、プルプリント処理を示すフローチャートである。
【図５】本発明を適用できる、画像処理装置１０００における、プルプリント処理を示すフローチャートである。
【図６】本発明を適用できる、操作部１１１に表示される、認証入力画面の一例を示す図である。
【図７】本発明を適用できる、操作部１１１に表示される、印刷データリスト画面の一例を示す図である。
【図８】本発明を適用できる、操作部１１１に表示される、プレビュー表示画面の一例を示す図である。
【図９】本発明を適用できる、操作部１１１に表示される、印刷出力確認画面の一例を示す図である。
【図１０】本発明を適用できる、操作部１１１に表示される、印刷データリスト画面の第２の一例を示す図である。
【図１１】本発明を適用できる、画像処理装置１０００における、第２のプルプリント処理を示すフローチャートである。
【図１２】本発明を適用できる、画像処理装置１０００における、第２のプルプリント処理を示すフローチャートである。
【図１３】本発明を適用できる、操作部１１１に表示される、印刷データリスト画面の第３の一例を示す図である。
【図１４】本発明を適用できる、操作部１１１に表示される、ジョブデータ取得設定画面の一例を示す図である。
【図１５】本発明を適用できる、画像処理装置１０００における、認証処理時にジョブデータを取得する処理を示すフローチャートである。
【図１６】本発明を適用できる、書誌情報サーバ３０００で管理される、書誌情報リストの一例を示す図である。
【図１７】本発明を適用できる、画像処理装置１０００における、第３のプルプリント処理を示すフローチャートである。
【符号の説明】
【０１８４】
１０００  画像処理装置
２０００  情報処理装置
３０００  書誌情報サーバ
３００１  印刷データサーバ
１１１  操作部
１１２  制御部
１１４  印刷データ管理部
１１５  ジョブ情報解析部
１１６  ページデータ解析部
１１９  ジョブデータ保管部
１２０  プレビュー制御部
【図１】
2010167596.tif 000003
【図２】
2010167596.tif 000004
【図３】
2010167596.tif 000005
【図４】
2010167596.tif 000006
【図５】
2010167596.tif 000007
【図６】
2010167596.tif 000008
【図７】
2010167596.tif 000009
【図８】
2010167596.tif 000010
【図９】
2010167596.tif 000011
【図１０】
2010167596.tif 000012
【図１１】
2010167596.tif 000013
【図１２】
2010167596.tif 000014
【図１３】
2010167596.tif 000015
【図１４】
2010167596.tif 000016
【図１５】
2010167596.tif 000017
【図１６】
2010167596.tif 000018
【図１７】
2010167596.tif 000019